(57)【要約】【課題】拡張メモリが誤挿入されたとき、誤挿入を判断し、誤挿入と判断したとき拡張メモリへの通電がオフすることによって活線挿入を防止する画像処理装置を提供することである。【解決手段】本発明の画像処理装置は、拡張メモリに対して断続的に駆動電圧を印加し、その際のソケット部と拡張メモリ間に流れる電流値を検出し、その検出された電流値が、拡張メモリを駆動するのに必要な電流値を超える過電流であると検出したとき、誤挿入と判断する。そして、本発明の画像処理装置が誤挿入と判断した場合、拡張メモリへの駆動電圧をオフすることによって、活線挿入を防止することができる。【選択図】図５
2010228331.tif 000002
【特許請求の範囲】
【請求項１】
画像処理装置の画像処理動作を制御する基板と、
画像処理装置のメモリ容量を拡張する為に前記基板に設けられ、拡張メモリを装着する為のソケット部と、
画像処理装置の画像処理動作に必要な電圧を印加する電源と、
前記電源から、前記ソケット部を介して前記拡張メモリを駆動する駆動電圧を、前記拡張メモリに印加する駆動電圧印加部と、
前記駆動電圧印加部が印加する駆動電圧を、前記ソケット部に断続的に印加する制御部と、
前記制御部の制御に基づいて、当該駆動電圧が前記ソケット部に印加されたときに、前記駆動電圧印加部と前記ソケット部間に流れる電流値を検出する電流検出部と、
前記電流検出部が検出した電流値が、前記拡張メモリを駆動するのに必要な電流値を超える過電流であると検出したとき、前記拡張メモリがソケット部に誤挿入されていると判断する誤挿入判断部と、
を備え、
前記制御部は、前記誤挿入判断部が誤挿入と判断したとき、前記駆動電圧印加部からの駆動電圧をオフするように制御すること、
を特徴とする画像処理装置。
【請求項２】
請求項１に記載の画像処理装置において、
前記拡張メモリは、複数の電圧端子を備え、
前記駆動電圧印加部は、複数の前記電圧端子のそれぞれに前記駆動電圧を印加可能に構成され、
前記電流検出部は、前記ソケット部と複数の前記電圧端子間にそれぞれ流れる電流値を検出し、
前記誤挿入判断部は、前記電流検出部が検出したそれぞれの電流値のいずれかが当該の過電流であるかを検出すること、
を特徴とする画像処理装置。
【請求項３】
請求項１または２に記載の画像処理装置において、
前記駆動電圧印加部には、前記過電流が所定時間流れた際に、溶断して前記基板を保護する保護部が設けられ、
前記制御部は、前記誤挿入判断部が過電流を検出するのに必要な時間以上であって、かつ、前記保護部に前記過電流が流れた際に溶断する当該所定時間未満である一定時間の間は駆動電圧を印加する時間と、駆動電圧を印加しない時間とを周期的に繰り返すように制御すること、
を特徴とする画像処理装置。
【請求項４】
請求項３に記載の画像処理装置において、
前記制御部は、前記駆動電圧印加部によって駆動電圧が印加されている状態で、前記拡張メモリに対してアクセス動作を行う拡張メモリアクセス動作部と、
前記挿入判断部が誤挿入ではない判断したとき、前記拡張メモリアクセス動作部によって前記拡張メモリへのアクセス動作を指示し、前記アクセス動作が可能であれば、拡張メモリがソケット部に挿入されていると判断し、アクセス動作が可能でなければ、拡張メモリがソケット部に未挿入と判断する挿入判断部と、
を備え、
前記制御部は、前記挿入判断部がソケット部に挿入されていると判断したとき、前記駆動電圧供給部に対して連続的に駆動電圧を供給するように制御すること、
を特徴とする画像処理装置。
【発明の詳細な説明】
【技術分野】
【０００１】
本発明は、拡張メモリが装置本体のソケットを介して着脱可能な画像処理装置に関する。さらに詳細には、拡張メモリが誤挿入されたとき、誤挿入を判断し、誤挿入があった場合に拡張メモリへの通電をオフすることによって活線挿入を防止する画像処理装置に関するものである。
【背景技術】
【０００２】
従来から、プリンタ、スキャナ、複合機等の画像処理装置では、装置本体のメイン基板に市販の拡張メモリを装着できる設計となっている。拡張メモリを装着する際，装置本体の電源がオンしたままで拡張メモリを斜めに誤挿入すると、拡張メモリのソケット部でショートが発生し、メイン基板に対して過電流が流れることがある。過電流によるメイン基板に内蔵された電子部品の故障を防ぐためのヒューズが溶断して装置本体を保護するが、装置本体に装備された低圧電源の電源が入らなくなる為、ヒューズの交換をしない限り画像処理装置として使用できない。
【０００３】
上記の活線挿入を防止する技術としては、例えば特許文献１に開示された活線挿抜防止装置がある。この活線挿抜装置では、コネクタ部に電圧印加中はパッケージの装着および抜去を阻止するストッパ手段を設けている。
【先行技術文献】
【特許文献】
【０００４】
【特許文献１】特開２０００−１５１１５５号公報
【発明の概要】
【発明が解決しようとする課題】
【０００５】
しかしながら、前記した従来の画像処理装置には、次のような問題があった。特許文献１に開示された従来の画像処理装置では、拡張メモリの活線挿入を防止するために、ストッパ手段等の特別なメカ的な機構を設けた。しかし、メカ的な機構を設けても斜めに誤挿入すると過電流による素子破壊が発生した。
【０００６】
本発明は，前記した従来の画像処理装置が有する問題点を解決するためになされたものである。その課題とするところは、拡張メモリが誤挿入されたとき、誤挿入を判断し、拡張メモリへの駆動電圧をオフすることによって活線挿入を防止する画像処理装置を提供することである。
【課題を解決するための手段】
【０００７】
上記目的を達成する為に、請求項１に記載の発明の画像処理装置の画像処理動作を制御する基板と、画像処理装置のメモリ容量を拡張する為に前記基板に設けられ、拡張メモリを装着する為のソケット部と、画像処理装置の画像処理動作に必要な電圧を印加する電源と、前記電源から、前記ソケット部を介して前記拡張メモリを駆動する駆動電圧を、前記拡張メモリに印加する駆動電圧印加部と、前記駆動電圧印加部が印加する駆動電圧を、前記ソケット部に断続的に印加する制御部と、前記制御部の制御に基づいて、当該駆動電圧が前記ソケット部に印加されたときに、前記駆動電圧印加部と前記ソケット部間に流れる電流値を検出する電流検出部と、前記電流検出部が検出した電流値が、前記拡張メモリを駆動するのに必要な電流値を超える過電流であると検出したとき、前記拡張メモリがソケット部に誤挿入されていると判断する誤挿入判断部と、を備え、前記制御部は、前記誤挿入判断部が誤挿入と判断したとき、前記駆動電圧印加部からの駆動電圧をオフするように
制御することを特徴としている。
【０００８】
また、請求項２に記載の発明において、画像処理装置は、前記拡張メモリは、複数の電圧端子を備え、前記駆動電圧印加部は、複数の前記電圧端子のそれぞれに前記駆動電圧を印加可能に構成され、前記電流検出部は、前記ソケット部と複数の前記電圧端子間にそれぞれ流れる電流値を検出し、前記誤挿入判断部は、前記電流検出部が検出したそれぞれの電流値のいずれかが当該の過電流であるかを検出することを特徴とするものであってもよい。
【０００９】
また、請求項３に記載の発明において、画像処理装置は、前記駆動電圧印加部には、前記過電流が所定時間流れた際に、溶断して前記基板を保護する保護部が設けられ、前記制御部は、前記誤挿入判断部が過電流を検出するのに必要な時間以上であって、かつ、前記保護部に前記過電流が流れた際に溶断する当該所定時間未満である一定時間の間は駆動電圧を印加する時間と、駆動電圧を印加しない時間とを周期的に繰り返すように制御するものであってもよい。
【００１０】
また、請求項４に記載の発明において、画像処理装置の前記制御部は、前記駆動電圧印加部によって駆動電圧が印加されている状態で、前記拡張メモリに対してアクセス動作を行う拡張メモリアクセス動作部と、前記挿入判断部が誤挿入ではない判断したとき、前記拡張メモリアクセス動作部によって前記拡張メモリへのアクセス動作を指示し、前記アクセス動作が可能であれば、拡張メモリがソケット部に挿入されていると判断し、アクセス動作が可能でなければ、拡張メモリがソケット部に未挿入と判断する挿入判断部と、を備え、前記制御部は、前記挿入判断部がソケット部に挿入されていると判断したとき、前記駆動電圧供給部に対して連続的に駆動電圧を供給するように制御するものであってもよい。
【発明の効果】
【００１１】
請求項１に記載の発明によれば、画像処理装置は、ソケット部に対して断続的に駆動電圧を印加し、その際の駆動電圧印加部と拡張メモリ間に流れる電流値を検出し、その検出された電流値が、拡張メモリを駆動するのに必要な電流値を超える過電流であると検出したとき、誤挿入と判断する。そして、画像処理装置が誤挿入と判断した場合、本発明の画像処理装置は、拡張メモリへの駆動電圧をオフすることによって、活線挿入を防止することができる。
【００１２】
請求項２に記載の発明によれば、画像処理装置は、ソケット部と拡張メモリの複数の電圧端子に流れるそれぞれの電流値を検出し、その検出値のいずれかが過電流であるかを誤挿入判断部が判断することができる。拡張メモリが複数の電圧端子を備えている場合、検出箇所が複数に増え、誤挿入を判断する検出精度が上がる。
【００１３】
請求項３に記載の発明によれば、画像処理装置は、駆動電圧印加部が印加する駆動電圧は、誤挿入判断部が過電流を検出するのに必要な時間以上であって、かつ、保護部に前記過電流が流れた際に溶断する当該所定時間未満である。そのため、誤挿入によって過電流が発生しても、保護部が溶断するまで至らない。
【００１４】
請求項４に記載の発明によれば、画像処理装置は、拡張メモリがソケット部に挿入されているか否かの挿入判断は、拡張メモリの所定のメモリ領域にデータを書き込み、そのデータが正常に読み出すアクセス動作が可能であるか否かによって判断できる。そして、拡張メモリがソケット部に挿入されていると判断したとき、本発明の画像処理装置は、拡張メモリに対して連続的に駆動電圧を供給するため、適切に拡張メモリを使用することができる。
【図面の簡単な説明】
【００１５】
【図１】実施の形態にかかるプリンタ１００の概略構成を示す斜視図である。
【図２】サイドカバー６１を取り外した状態の概要を示す図である。
【図３】プリンタ１００の画像形成部の概略構成を示す概念図である。
【図４】プリンタ１００の電気的構成を示すブロック図である。
【図５】プリンタ１００の電源がオンされてからオフするまでの、誤挿入、挿入もしくは未挿入であるかどうかを判断する一連の流れを説明するフローチャートである。
【図６】（a）クロック信号（ＣＫ）を基準として、ＤＩＭＭソケット３５へ印加される駆動電圧である（ｂ）駆動電圧を印加する時間（Ｈ区間）と、駆動電圧を印加しない時間（Ｌ期間）とを周期的に繰り返す電圧（断続的に拡張メモリに印加される駆動電圧の一例）、（ｃ）３．３Ｖの連続的な電圧とを示す図である。
【図７】ＤＩＭＭ３６がＤＩＭＭソケット３６に、誤挿入、挿入もしくは未挿入であるかどうかを判断する処理のフローチャートである。
【図８】表示部４１に誤挿入されたことを示すメッセージを示す図である。
【図９】ＤＩＭＭ３６がＤＩＭＭソケット３６から脱着されたかどうかを判断する処理のフローチャートである。
【発明を実施するための形態】
【００１６】
以下，本発明にかかる印刷装置を具体化した実施の形態について，添付図面を参照しつつ詳細に説明する。本形態は，メモリモジュールの着脱が可能な電子写真方式のプリンタに本発明を適用したものである。
【００１７】
［プリンタの全体構成］
本形態のプリンタ１００（画像処理装置の一例）は，図１に示すように，用紙に画像を印刷する画像形成部１０と，原稿の画像を読み取るスキャナ部２０とを備えている。また、スキャナ部２０の前面側には、液晶ディスプレイからなる表示部４１と、スタートキー、ストップキー、テンキー等から構成されるボタン群４２とを備えた操作パネル４０が設けられている。
【００１８】
また，本形態のプリンタ１００は、本体カバー６０側面の一部に、本体カバー６０から取り外し可能に設けられたサイドカバー６１を備えている。サイドカバー６１は、本体カバー６０内であって、プリンタ１００本体に設置されたメイン基板３０（基板の一例）の近傍に配置されている。メイン基板３０は、ＣＰＵ、ＲＯＭ、ＲＡＭ等を装着し，画像処理動作を制御する基板である。サイドカバー６１を取り外すと、図２に示すように、メイン基板３０が露出する。
【００１９】
また，メイン基板３０は，図２に示したように、オプションの拡張メモリとしての６４ｂｉｔのＤＩＭＭ３６（ＤＩＭＭ：Ｄｕａｌ  Ｉｎｌｉｎｅ  Ｍｅｍｏｒｙ  Ｍｏｄｕｌｅ、拡張メモリの一例）を装着するためのＤＩＭＭソケット３５（ソケット部の一例）を有している。なお、ＤＩＭＭ３６は、３２ｂｉｔの２つのＤＤＲ−ＳＤＲＡＭ（Ｄｏｕｂｌｅ−Ｄａｔａ−Ｒａｔｅ  Ｓｙｎｃｈｒｏｎｏｕｓ  Ｄｙｎａｍｉｃ  Ｒａｎｄｏｍ  Ａｃｃｅｓｓ  Ｍｅｍｏｒｙ、以下の説明ではＤＲＡＭ）を備えて構成されている。そして、ＤＩＭＭ３６は、２つのＤＲＡＭをそれぞれ駆動するための電圧を印加するための入力端子Ａ、入力端子Ｂを備えている。
【００２０】
そして、ユーザは、ＤＩＭＭ３６を装着する際、サイドカバー６１を取り外し、ＤＩＭＭ３６をＤＩＭＭソケット３５に挿入する。その際、適切にＤＩＭＭソケット３５にＤＩＭＭ３６が挿入されていれば、ＤＩＭＭソケット３５に備えられた出力端子Ａ′、Ｂ′から、ＤＩＭＭ３６の入力端子Ａ′、Ｂ′に対して、それぞれＤＲＡＭを駆動するための電
圧が印加される。一方、ＤＩＭＭソケット３５にＤＩＭＭ３６が誤挿入されているというのは、例えば、ＤＩＭＭソケット３５にＤＩＭＭ３６が斜めに挿入されて、ＤＩＭＭ３６のＧＮＤ端子（図２：不図示）とＤＩＭＭソケット３５の出力端子Ａが短絡していることを指す。そのような誤挿入の状態でプリンタ１００の電源がオンになっていれば、メイン基板３０に過電流が流れる。
【００２１】
［プリンタの画像形成部の構成］
画像形成部１０は、周知の電子写真方式によって画像を形成するものであり、図３に示すように、画像を形成するプロセス部５０と、未定着のトナー像を定着させる定着装置８と、画像形成前の用紙を載置する給紙カセット９０、９１と、画像形成後の用紙を載置する排紙トレイ９２とを備えている。
【００２２】
画像形成部１０内には、底部に位置する給紙カセット９０ないし給紙カセット９１に収容された用紙が、給紙ローラ７２ないし給紙ローラ７３、プロセス部５０、定着装置８を通り、排紙ローラ７４を介して上部の排紙トレイ９２への導かれるように、略Ｓ字形状の搬送経路７１が設けられている。すなわち，画像形成部１０は、給紙カセット９０ないし給紙カセット９１に載置されている用紙を１枚ずつ取り出し、その用紙をプロセス部５０に搬送し、プロセス部５０にて形成されたトナー像をその用紙に転写する。さらに、トナー像が転写された用紙を定着装置８に搬送し、トナー像をその用紙に熱定着させる。そして、定着後の用紙を排紙トレイ９２に排出する。
【００２３】
プロセス部５０は、感光体ドラム１と、感光体ドラム１の表面を一様に帯電する帯電装置２と、感光体ドラム１の表面に光を照射して静電潜像を形成する露光装置３と、トナーを収容するとともに静電潜像に対してトナーによる現像を行う現像装置４と、感光体ドラム１上のトナー像を用紙に転写させる転写装置５と、感光体ドラム１上の残留トナーを除去するクリーニングブレード６とを有している。感光体ドラム１、帯電装置２、現像装置４、およびクリーニングブレード６は、プロセスカートリッジとして構成され、装置本体に対して着脱可能になっている。
【００２４】
プロセス部５０では、感光体ドラム１の表面が帯電装置２によって一様に帯電される。その後、露光装置３からの光により露光され、用紙に形成すべき画像の静電潜像が形成される。次いで、現像装置４を介して、トナーが感光体ドラム１に供給される。これにより、感光体ドラム１上の静電潜像は、トナー像として可視像化される。このようなプロセス部５０の動作は、メイン基板３０によって制御される。
【００２５】
［プリンタの電気的構成］
続いて，プリンタ１００の電気的構成について説明する。プリンタ１００は、図４に示すように、ＣＰＵ３１（制御部の一例、挿入判断部の一例）と、メモリ制御回路３４（拡張メモリアクセス動作部の一例）と、ＦＢ制御部３９とを有するＡＳＩＣ７と、ＲＯＭ３２と、ＲＡＭ３３と、オンオフスイッチ回路３７と、ＤＩＭＭソケット３５（ソケット部の一例）と、過電流検出回路（誤挿入判断部の一例）とを備えたメイン基板３０を有している。
【００２６】
メイン基板３０は、プロセス部５０、スキャナ部２０、表示部４１，低圧電源８０（駆動電圧印加部の１例）等と電気的に接続されている。また，メイン基板３０は、ＤＩＭＭ３６が装着されている場合には、ＤＩＭＭソケット３５を介してＤＩＭＭ３６を利用することができる。
【００２７】
ＲＯＭ３２には、プリンタ１００を制御するための各種制御プログラムや各種設定、初期値等が記憶されている。ＲＡＭ３３は、各種制御プログラムが読み出される作業領域と
して、あるいは画像データを一時的に記憶する記憶領域として利用される。
【００２８】
ＣＰＵ３１は、ＲＯＭ３２から読み出した制御プログラムに従って、その処理結果をＲＡＭ３３、あるいはＤＩＭＭ３６に記憶させながら、プリンタ１００の各構成要素（例えば，搬送路７１を構成する各種ローラの駆動モータ（不図示）やスキャナ部２０を構成するイメージセンサユニットの移動用モータ（不図示）を制御する。
【００２９】
メモリ制御回路３４は、ＤＩＭＭソケット３５を介して、ＤＩＭＭ３６に対してクロック信号（ＣＬＫ）と、そのクロック信号の立ち上がりに同期して制御信号（ＣＳ）が出力される。制御信号（ＣＳ）には、ＤＩＭＭ３６へのデータの書き込み（ライト）及び読み出し（リード）がある。そして、その制御信号（ＣＳ）には、ＤＩＭＭ３６のどのメモリ領域にデータを書き込み、どの領域からデータを読み込みかの情報も含まれている。
【００３０】
ＣＰＵ３１がメモリ制御回路３４に書き込みの制御信号（ＣＳ）を出力するように指示すると、ＤＩＭＭ３６の所定のメモリの領域にデータの書き込みが実行され、ＣＰＵ３１がメモリ制御回路３４に読み込みの制御信号（ＣＳ）を出力するように指示すると、ＤＩＭＭ３６の所定のメモリの領域にデータからの読み込みが実行される。この様にしてＤＩＭＭ３６へのデータの書き込み及び読み出し動作であるアクセス動作が上記のように実行される。これらの制御信号（ＣＳ）や上記書き込みまたは読み出しがなされるデータ（ライトデータ，リードデータ：ＤＱ）は、メモリ制御回路３４とＣＰＵ３１との間でも送受信される。
【００３１】
低圧電源８０は、ヒューズ４５（保護部の一例）と、ＡＳＩＣ７が有するオンオフスイッチ回路３７と、ＤＩＭＭソケット３５を介してＤＩＭＭ３６を駆動するための電圧を供給する。なお、この低圧電源が供給する３．３Ｖの駆動電圧は、ＤＩＭＭ３６を駆動するためだけの電圧ではなく、メモリ基板上のＣＰＵ３１、メモリ制御回路３４、過電流検出回路３８を駆動するための電圧として用いられる。
【００３２】
ヒューズ４５は、低圧電源８０からＤＩＭＭ３６に至るラインで過電流が所定時間流れた際に、溶断することによって過電流がメモリ基板３０上に備えられているＣＰＵ３１、ＲＯＭ３２、メモリ制御回路３４等に流れないようにするものである。一度、ヒューズ４５が溶断すると、メモリ基板３０ごと交換する必要がある。
【００３３】
オンオフスイッチ回路３７は、ＤＩＭＭソケットの出力端子Ａ′、Ｂ′に対して、それぞれ出力ライン４３、４４を介して、低圧電源８０からの駆動電圧を供給する。その際、ＣＰＵ３１は、駆動電圧を印加する時間と、駆動電圧を印加しない時間とを周期的に繰り返して駆動電圧を供給する指示や、連続的に駆動電圧を供給する指示をオンオフスイッチ回路３７に与える。そして、ＣＰＵ３１のその指示に基づいて、オンオフスイッチ回路３７が低圧電源８０からの駆動電圧をＤＩＭＭ３６に供給する。
【００３４】
オンオフスイッチ回路３７とＤＩＭＭソケット３５間の出力ライン４３、４４には、それぞれ直列に接続された抵抗Ｒ１（電流検出部の一例）と、抵抗Ｒ２（電流検出部の一例）が備えられている。そして、抵抗器Ｒ１の両端と、抵抗器Ｒ２の両端とが並列に接続され、抵抗器Ｒ１の両端の電圧と抵抗器Ｒ２の両端の電圧のいずれか高い方の電圧が過電流検出回路３８に入力される。
【００３５】
過電流検出回路３８には、前記拡張メモリを駆動するのに必要な電流値から定められた所定の比較電圧を有する。そして、過電流検出回路３８は、入力された抵抗器Ｒ１若しくは抵抗器Ｒ２の両端の電圧とその比較電圧を比較する。過電流検出回路３８は、その比較電圧をその両端の電圧が上回ると、過電流が流れたこと、つまり誤挿入があったというこ
とを示すＦＢ（フィードバック）信号でＦＢ制御部３９に対して入力する。
【００３６】
［プリンタの動作］
続いて、本形態のプリンタ１００の誤挿入の判断処理の手順を主眼に置いて説明する。
【００３７】
図５のフローチャートを用いて、本発明のプリンタ１００に電源がオンしてからオフするまでの間に、ＤＩＭＭ３６がＤＩＭＭソケット３５に誤挿入、挿入もしくは未挿入であるかどうかを判断する処理についての一連の流れを説明する。
【００３８】
まず、プリンタ１００の電源がオンすると、ＤＩＭＭソケット３５への通電を開始する（Ｓ１０１）。図６は、（a）クロック信号（ＣＫ）を基準として、ＤＩＭＭソケット３
５へ印加される駆動電圧である（ｂ）駆動電圧を印加する時間（Ｈ区間）と、駆動電圧を印加しない時間（Ｌ期間）とを周期的に繰り返す電圧（断続的に拡張メモリに印加される駆動電圧の一例）、（ｃ）３．３Ｖの連続的な電圧とを示したものである。
【００３９】
Ｓ１０１の処理では、制御部として機能するＣＰＵ３１は、オンオフスイッチ回路３７に対して、図６（ｂ）に図示されているＨ区間とＬ期間とを周期的に繰り返す電圧をＤＩＭＭソケットの出力端子Ａ′、Ｂ′に対してそれぞれ印加するように指示する。
【００４０】
なお、電圧のＨ区間は、誤挿入判断部として機能する過電流検出回路３８が、過電流を検出するのに必要な時間以上であって、かつ、保護部として機能するヒューズ４５に過電流が流れた際に溶断する所定時間未満の間に設定される。また、電圧のＬ区間は、所定の時間（例えば１時間）と設定されている。
【００４１】
次に、Ｓ１０２の処理において、ＤＩＭＭソケット３５に印加される電圧がＬである場合（Ｓ１０２：ＮＯ）には、電圧がＨになるまで待機し、電圧がＨである場合（Ｓ１０２：ＹＥＳ）には、Ｓ１０３に進む。
【００４２】
[誤挿入、挿入もしくは未挿入判断処理]
図７のフローチャートを用いて、Ｓ１０３におけるＤＩＭＭ３６がＤＩＭＭソケット３５に誤挿入、挿入もしくは未挿入であるかどうかを判断する処理について説明する。
【００４３】
Ｓ２０１において、抵抗器Ｒ１の両端の電圧と抵抗器Ｒ２の両端の電圧のいずれか高い方の電圧が過電流検出回路３８に入力され、誤挿入判断部として機能する過電流検出回路３８が、ＤＩＭＭソケット３５に過電流が流れたかどうかを判断する。そして、誤挿入判断部として機能する過電流検出回路３８は過電流が流れると（Ｓ２０１：ＹＥＳ）、過電流検出回路３８からＡＳＩＣ７のＦＢ制御部に対して過電流が流れたこと、すなわち、誤挿入があったことを送信する（Ｓ２０２）。誤挿入判断部として機能する過電流検出回路３８は、過電流が流れないとき（Ｓ２０１：ＮＯ）の場合は、Ｓ２０３に進む。
【００４４】
Ｓ２０３において、ＣＰＵ３１は、拡張メモリ動作部として機能するメモリ制御回路３４に対してＤＩＭＭ３６の所定のメモリ領域にアクセスして、所定のデータの書き込みをするように指示する。
【００４５】
次に、Ｓ２０４において、ＣＰＵ３１は、Ｓ２０３において書き込みを指示された所定のデータを読み出すように指示する。
【００４６】
Ｓ２０５において、挿入判断部として機能するＣＰＵ３１が、Ｓ２０３およびＳ２０４の一連のアクセス動作ができたかどうかを判断する。そして、Ｓ２０３において書き込みを指示された所定のデータが、ＣＰＵ３１が読み出し可能であれば（Ｓ２０５：ＹＥＳ）
、ＤＩＭＭ３６がＤＩＭＭソケット３５に挿入されていると判断する（Ｓ２０６）。そして、Ｓ２０３において書き込みを指示された所定のデータが、ＣＰＵ３１が読み出しできなければ、ＤＩＭＭ３６がＤＩＭＭソケット３５に挿入されていないと判断する（Ｓ２０７）。以上で、図６の処理は終了する。
【００４７】
図５のフローチャートのＳ１０４の処理に戻る。Ｓ１０４において、過電流検出回路３８からＡＳＩＣ７のＦＢ制御部に対して過電流が流れたこと、すなわち、誤挿入があったことを送信された場合（Ｓ１０４：ＹＥＳ）、制御部として機能するＣＰＵ３１は、ＤＩＭＭソケット３５への電圧の通電を停止する（Ｓ１０６）。そして、プリンタ１００は、表示部４１に図８に示した誤挿入されたことを示すメッセージを表示し（Ｓ１０７）、ユーザに対してプリンタ１００の電源をオフして、ＤＩＭＭ３６を正しく挿入するよう教えることができる。
【００４８】
次に、Ｓ１０４において、過電流検出回路３８からＡＳＩＣ７のＦＢ制御部に対して過電流が流れたこと、すなわち、誤挿入があったことを送信されなかった場合（Ｓ１０４：ＮＯ）、Ｓ１０５に進む。そして、挿入判断部として機能するＣＰＵ３１が、図７のＳ２０６で挿入と判断した場合（Ｓ１０５：ＹＥＳ）には、Ｓ１０８に進む。
【００４９】
Ｓ１０８において、制御部として機能するＣＰＵ３１は、オンオフスイッチ回路３７に対して図６の（ｃ）に示したような連続的に３．３Ｖの駆動電圧を印加するように指示する。そして、低圧電源８０からの駆動電圧がオンオフスイッチ回路３７と、ＤＩＭＭソケット３５とを介してＤＩＭＭ３６に駆動電圧が、図６（ｃ）のように、連続して供給される（Ｓ１０８）。なお、Ｓ１０５の処理時は、ＤＩＭＭソケット３５に対してオンオフスイッチ回路３７から印加される駆動電圧がＨであるため、図７のＳ２０６で挿入と判断した場合（Ｓ１０５：ＹＥＳ）、駆動電圧が印加されないＬ区間をとることなく、ＤＩＭＭソケット３５に対して連続して駆動電圧が印加されることになる。
【００５０】
また、挿入判断部として機能するＣＰＵ３１が、図７のＳ２０７で未挿入と判断した場合（Ｓ１０５：ＮＯ）には、Ｓ１１２の処理に進む。Ｓ１１２の処理では、ＤＩＭＭソケット３５に印加される電圧がＬでない場合（Ｓ１１２：ＮＯ）には、電圧がＬになるまで待機し、電圧がＬである場合（Ｓ１１２：ＹＥＳ）には、Ｓ１１３に進む。そして、Ｓ１１３では、駆動電圧を印加しない時間（Ｌ期間）である一定期間の間、待機してのち、Ｓ１０１の処理に戻る。
【００５１】
Ｓ１０２からＳ１０５の処理は、ＤＩＭＭソケット３５に対してオンオフスイッチ回路３７から印加される駆動電圧が印加されるＨ区間の間に処理される。電圧のＨ区間は、上述したように、誤挿入判断部として機能する過電流検出回路３８が、過電流を検出するのに必要な時間以上であって、かつ、保護部として機能するヒューズ４５に過電流が流れた際に溶断する所定時間未満の間に設定されている。
【００５２】
そして、過電流を検出するのに必要な時間は、数ミリ秒程度であり、ヒューズ４５に過電流が流れた際に溶断する所定時間は数秒である。そのため、電圧のＨ区間の間に、ユーザがＤＩＭＭ３６をＤＩＭＭソケット３５へ誤挿入し、過電流が出力ライン４３、４４のいずれかに流れたとしても、ヒューズ４５が溶断することなくＣＰＵ３１がＤＩＭＭソケット３５への駆動電圧の印加をオフするため、誤挿入によるメイン基板３０への影響がない。
【００５３】
なお、拡張メモリアクセス動作部として機能するメモリ制御回路３４がＤＩＭＭ３６への書き込み及び書き込みのアクセス動作は、１回のアクセスで数ナノ秒である。故に、電圧のＨ区間の間に、ＣＰＵ３１が、ＤＩＭＭ３６がＤＩＭＭソケット３５に挿入されてい
るかどうかを判断するのに充分な時間がある。
【００５４】
次に、Ｓ１０８において、ＤＩＭＭソケット３５への連続電圧通電開始後、所定時間経過（例えば１時間）後にＳ１０９の脱着判断処理を行う。
[脱着判断処理]
図９のフローチャートを用いて、図５のＳ１０９におけるＤＩＭＭ３６がＤＩＭＭソケット３６から脱着されたかどうかを判断する処理を説明する。
【００５５】
Ｓ３０１において、ＣＰＵ３１は、拡張メモリ動作部として機能するメモリ制御回路３４に対してＤＩＭＭ３６の所定のメモリ領域にアクセスして、所定のデータの書き込みをするように指示する。
【００５６】
次に、Ｓ３０２において、ＣＰＵ３１は、Ｓ３０１において書き込みを指示された所定のデータを読み込むように指示する。
【００５７】
Ｓ３０３において、ＣＰＵ３１が、Ｓ３０１およびＳ３０２の一連のアクセス動作ができたかどうかを判断する。そして、Ｓ３０３において書き込みを指示された所定のデータが、ＣＰＵ３１が読み出し可能であれば（Ｓ３０３：ＹＥＳ）、ＤＩＭＭ３６がＤＩＭＭソケット３５にそのまま挿入されていると判断する。そして、Ｓ３０３において書き込みを指示された所定のデータを、ＣＰＵ３１が読み込みできなければ、ＤＩＭＭ３６がＤＩＭＭソケット３５から脱着されたと判断する（Ｓ３０４）。以上で、図９の処理は終了する。
【００５８】
そして、再び図５のＳ１１０の処理に戻り、図９のＳ３０４の処理でＣＰＵ３１が未挿入と判断した場合（Ｓ１１０：ＹＥＳ）には、上述したＳ１１２の処理に進む。そして、図９のＳ３０４の処理でＣＰＵ３１が未挿入と判断されていない場合には（Ｓ１１０：ＮＯ）、Ｓ１１１に進む。Ｓ１１１にて、プリンタの電源がオンしている限り（Ｓ１１１：ＮＯ）、ＤＩＭＭソケット３５への連続電圧通電され、前回のＳ１０９の脱着判断処理から所定時間経過（例えば１時間）後に、再びＳ１０９の脱着判断処理を周期的に行う。そして、プリンタの電源がオフすると（Ｓ１１１：ＮＯ）、図５の処理は終了する。
【００５９】
なお，本実施の形態は単なる例示にすぎず、本発明を何ら限定するものではない。したがって本発明は当然に、その要旨を逸脱しない範囲内で種々の改良，変形が可能である。例えば、画像処理装置としては、プリンタ、複写機、スキャナ、ＦＡＸ等、画像を処理するものであれば適用可能である。また、画像形成部の画像形成方式は、電子写真方式に限らず、インクジェット方式であってもよい。また、カラー画像の形成が可能であっても、モノクロ画像専用であってもよい。
【００６０】
本実施の形態では、誤挿入判断部の１例として、過電流検出回路３８に入力される抵抗器Ｒ１、Ｒ２のいずれかの両端の電圧が、前記拡張メモリを駆動するのに必要な電流値に基づいて決定された比較電圧と比較し、上まわれば誤挿入されていると判断している。しかし、この構成に限定されることなく、例えば、抵抗器Ｒ１、Ｒ２に流れる電流を直接計測し、その計測した電流値をＣＰＵ３１に送信する回路を備えている。その場合、誤挿入判断部としてＣＰＵ３１が、その計測した電流値を、ＲＡＭ３３に記憶された前記拡張メモリを駆動するのに必要な電流値と比較し、上まわれば誤挿入してもよい。
【００６１】
また、メイン基板３０に装着される拡張メモリは、ＤＩＭＭに限るものではない。例えば、ＳＩＭＭ（Ｓｉｎｇｌｅ  Ｉｎｌｉｎｅ  Ｍｅｍｏｒｙ  Ｍｏｄｕｌｅ）であってもよい。また、メイン基板３０が備えるソケットは１つに限るものではなく、複数あってもよい。
【符号の説明】
【００６２】
７      ＡＳＩＣ
１０    画像形成部
２０    スキャナ部
３０    メイン基板（基板の１例）
３１    ＣＰＵ（制御部の１例、挿入判断部の１例）
３４    メモリ制御回路（拡張メモリアクセス動作部の１例）
３５    ＤＩＭＭソケット（ソケット部の１例）
３６    ＤＩＭＭ（拡張メモリの１例）
３７    オンオフスイッチ回路
３８    過電流検出回路（誤挿入判断部の１例）
４５    ヒューズ（保護部の１例）
８０    低圧電源（駆動電圧印加部の１例）
１００  プリンタ
Ａ      入力端子Ａ（電圧端子の１例）
Ｂ      入力端子Ｂ（電圧端子の１例）
Ａ′    出力端子Ａ
Ｂ′    出力端子Ｂ
Ｒ１    抵抗Ｒ１（電流検出部の１例）
Ｒ２    抵抗Ｒ２（電流検出部の１例）
【図１】
2010228331.tif 000003
【図２】
2010228331.tif 000004
【図３】
2010228331.tif 000005
【図４】
2010228331.tif 000006
【図５】
2010228331.tif 000007
【図６】
2010228331.tif 000008
【図７】
2010228331.tif 000009
【図８】
2010228331.tif 000010
【図９】
2010228331.tif 000011